(57)【特許請求の範囲】
【請求項１】
サービス提供サーバと仲介サーバと需要家の電力量計に配設した電力量計サーバとを通信媒体で接続して構成し、
上記サービス提供サーバは、サービスエージェントを上記仲介サーバに提供する手段と、上記電力量計サーバに所定のサービスを実行させる実行指令手段とを有し、
上記仲介サーバは、上記提供されたサービスエージェントを登録する手段と、上記登録されたサービスエージェント内の電力量計サーバ用エージェントを上記電力量計サーバに配布する手段と、上記電力量計サーバに所定のサービスを実行させる実行指令手段とを有し、
上記電力量計サーバは、上記配布された電力量計サーバ用エージェントを格納する手段と、上記サービス提供サーバまたは上記仲介サーバから所定のサービスを実行する指令があると、上記電力量計サーバ用エージェントを起動して上記需要者の家電機器にアクセスし所定のサービスを実行する実行手段とを有するエージェントサービス提供システムであって、
上記サービス提供サーバまたは上記仲介サーバは、上記実行指令手段から上記所定のサービスを実行させる実行指令を発行し、
上記仲介サーバは、上記実行指令に基づき上記登録したサービスエージェントを起動してそのサービスエージェントを上記サービス提供サーバおよび上記電力量計サーバに移動させ、
上記サービス提供サーバと上記仲介サーバとのうちの少なくとも一方は、上記サービスエージェントを実行して上記所定のサービスを実行するための所定の情報を抽出し、
上記取得した所定の情報を、上記サービス提供サーバは上記仲介サーバを経由して上記電力量計サーバに通知し、または、上記仲介サーバは上記電力量計サーバに通知し、
上記電力量計サーバは、上記移動された上記サービスエージェントにより上記電力量計サーバ用エージェントを起動すると共に、上記通知された上記所定の情報を用いて上記所定のサービスを実行するように構成されたことを特徴とするエージェントサービス提供システム。
【請求項２】
請求項１記載のエージェントサービス提供システムにおいて、所定のサービスはリモート制御を行うサービスとし、
このリモート制御サービスは、上記システムの外部からの制御指令またはタイマ等で上記システム内部に発生する制御指令に応じて仲介サーバ上のサービスエージェントが電力量計サーバにその実行を指示し、
上記指示に応じて電力量計サーバは、エアコン・電灯・ＴＶ等の家電機器の制御を実行するサービスとしたことを特徴とするエージェントサービス提供システム。
【請求項３】
請求項２記載のエージェントサービス提供システムにおいて、リモート制御サービスは電力消費抑制を行うサービスとし、
この電力消費抑制サービスは、サービス提供サーバから電力消費抑制指令を送出し、上記指令を受けた仲介サーバは電力量計サーバにその実行を指示し、
電力量計サーバは、上記指示に応じてエアコンの設定温度の変更、複数運転のエアコンの内の何台かを停止、または、予め定められた電灯の消灯などの電力消費抑制を行うことを特徴とするエージェントサービス提供システム。
【請求項４】
請求項１記載のエージェントサービス提供システムにおいて、所定のサービスはリモート監視を行うサービスとし、
このリモート監視サービスは、仲介サーバ上のサービスエージェントを経由したリモート監視指令により、電力量計サーバが各種センサや電力消費パターンの情報などの監視対象の監視を行うサービスとしたことを特徴とするエージェントサービス提供システム。
【請求項５】
請求項４記載のエージェントサービス提供システムにおいて、リモート監視サービスはリモート介護サービスとし、
このリモート介護サービスは、仲介サーバからのリモート監視指令により電力量計サーバが電力消費の状態を監視し、その監視情報を上記仲介サーバに送信し、
上記仲介サーバは、受信した監視情報に基づいて電力の消費パターンが設定したパターンの正常範囲内でなければ、予め定められた外部の介護サービス会社などに情報を送信するサービスとしたことを特徴とするエージェントサービス提供システム。
【請求項６】
請求項１記載のエージェントサービス提供システムにおいて、所定のサービスは情報提供サービスとし、
この情報提供サービスは、上記システムの外部または内部からのサービス指令に応じて、仲介サーバ上のサービスエージェントがサービス提供サーバに移動して所定の情報を取得し、この取得した所定の情報を仲介サーバ経由で電力量計サーバに提供するサービスとしたことを特徴とするエージェントサービス提供システム。
【請求項７】
サービス提供サーバと仲介サーバと需要家の電力量計に配設した電力量計サーバとを通信媒体で接続して構成し、
上記サービス提供サーバは、サービスエージェントを上記仲介サーバに提供する手段と有し、
上記仲介サーバは、上記提供されたサービスエージェントを登録する手段と、上記電力量計サーバが所望のサービスを選択する際のサービスメニューを提示するサービス選択エージェントを上記電力量計サーバに配布する手段と、上記電力量計サーバからのサービス要求に応じて、上記サービスエージェント内の上記要求されたサービスエージェントを抽出して上記電力量計サーバに送付するエージェントサービス供給手段とを有し、
上記電力量計サーバは、上記配布された上記サービス選択エージェントで提示されたサービスメニューから所望のサービスを選択してその選択した所望のサービスを上記仲介サーバに通知し、この通知に応じて上記仲介サーバから提供された所望のサービスエージェントを用いて、需要者の家電機器にアクセスするなどの上記所望のサービスを実行する実行手段を有するエージェントサービス提供システムであって、
上記仲介サーバは、上記電力量計サーバから上記選択された所望のサービスの通知に基づき上記登録したサービスエージェントを起動してそのサービスエージェントを上記サービス提供サーバおよび上記電力量計サーバに移動させ、
上記サービス提供サーバと上記仲介サーバとのうちの少なくとも一方は、上記サービスエージェントを実行して上記所定のサービスを実行するための所定の情報を抽出し、
上記取得した所定の情報を、上記サービス提供サーバは上記仲介サーバを経由して上記電力量計サーバに通知し、または、上記仲介サーバは上記電力量計サーバに通知し、
上記電力量計サーバは、上記移動された上記サービスエージェントにより上記電力量計サーバ用エージェントを起動すると共に、上記通知された上記所定の情報を用いて上記所定のサービスを実行するように構成されたことを特徴とするエージェントサービス提供システム。
【請求項８】
請求項１〜７のいずれか１項に記載のエージェントサービス提供システムにおいて、
仲介サーバは、電力量計サーバがサービスエージェントを用いてサービスを実行した場合、その実行内容・実行時間等のサービスの度合いに応じて使用料金を計算し料金情報として格納する料金計算手段を設けたことを特徴とするエージェントサービス提供システム。
【請求項９】
請求項８記載のエージェントサービス提供システムにおいて、
料金計算手段は、需要者が有料サービスを受けた場合は、そのサービスに対して正の値の料金として計算し、無料のサービスを受けた場合は、ゼロの値の料金として計算し、電力負荷制御に協力するなどの料金の支払いを受けるようなサービスを受けた場合は、そのサービスに対して負の値の料金として計算し、これらの計算情報を料金情報として格納する手段としたことを特徴とするエージェントサービス提供システム。
【請求項１０】
請求項８記載のエージェントサービス提供システムにおいて、
料金計算手段は、需要者が有料サービスを受けた場合は、そのサービスに対して負の値の料金として計算し、無料のサービスを受けた場合は、ゼロの値の料金として計算し、電力負荷制御に協力するなどの料金の支払いを受けるようなサービスを受けた場合は、そのサービスに対して正の値の料金として計算し、これらの計算情報を料金情報として格納する手段としたことを特徴とするエージェントサービス提供システム。
【請求項１１】
請求項１〜１０のいずれか１項に記載のエージェントサービス提供システムにおいて、サービス提供サーバと仲介サーバとを一つのサーバで兼用したことを特徴とするエージェントサービス提供システム。
【発明の詳細な説明】
【０００１】
【発明の属する技術分野】
この発明は、ネットワークで接続されたサービス提供者とサービス需要者上で、ネットワークを移動可能なプログラムであるモバイルエージェントの実行環境を構築し、モバイルエージェントの移動によりサービスを提供するエージェントサービス提供システムに関するもので、特にサービス需要者の電力量計にサーバを設けてサービスの授受を行うものである。
【０００２】
【従来の技術】
従来のインターネット上などで行われるサービスは利用者自らが能動的に検索を行い、検索のための時間を消費するほか、実際に必要なサービスにたどり着く保証もなかった。
【０００３】
しかし、最近はサービス需要家からサービスが要求された後、モバイルエージェントがサービス要求者から独立してネットワーク上を移動しながら目的のサービスを実行し、実行したサービスに基づいて課金するシステムが構築されつつある状態になった。
【０００４】
この種の技術として、特開平１１−９６０９９号公報、特開平１０−７８８６７号公報がある。
特開平１１−９６０９９号公報は「サービス提供システム」で、サービス提供サーバ、サービス媒介サーバ、およびサービス要求クライアントが通信媒体を介してサービスの授受を行うシステムである。
【０００５】
また、特開平１０−７８８６７号公報は「ソフトウエア流通システム」で、ソフトウエア流通プロバイダ（サーバ）、賃貸ソフト利用ユーザー（クライアント）、およびサービス料金の取り引きを行う提携銀行が通信ネットワークを介して賃貸ソフトウエアを使用すると共に、その使用に応じて課金するシステムである。
【０００６】
【発明が解決しようとする課題】
従来のシステムはクライアント側のサーバとして、通常、パソコンやワークステーションなどの小型計算機を設置する必要があった。また、家庭用の電気機器にアクセスして、種々のサービスを使用する場合、計算機と家庭用電気機器との間を接続する特殊なインターフェースが必要であった。
【０００７】
この発明は上記のような問題点を解消するためになされたもので、各家庭に設置されている電力量計内部またはその近傍に電力量計サーバを設置し、電気機器とアクセスして種々のサービスを行うものである。
【０００８】
【課題を解決するための手段】
（１）請求項１のサービスエージェント提供システムによれば、サービス提供サーバと仲介サーバと需要家の電力量計に配設した電力量計サーバとを通信媒体で接続して構成し、
上記サービス提供サーバは、サービスエージェントを上記仲介サーバに提供する手段と、上記電力量計サーバに所定のサービスを実行させる実行指令手段とを有し、
上記仲介サーバは、上記提供されたサービスエージェントを登録する手段と、上記登録されたサービスエージェント内の電力量計サーバ用エージェントを上記電力量計サーバに配布する手段と、上記電力量計サーバに所定のサービスを実行させる実行指令手段とを有し、
上記電力量計サーバは、上記配布された電力量計サーバ用エージェントを格納する手段と、上記サービス提供サーバまたは上記仲介サーバから所定のサービスを実行する指令があると、上記電力量計サーバ用エージェントを起動して上記需要者の家電機器にアクセスし所定のサービスを実行する実行手段とを有するエージェントサービス提供システムであって、
上記サービス提供サーバまたは上記仲介サーバは、上記実行指令手段から上記所定のサービスを実行させる実行指令を発行し、
上記仲介サーバは、上記実行指令に基づき上記登録したサービスエージェントを起動してそのサービスエージェントを上記サービス提供サーバおよび上記電力量計サーバに移動させ、
上記サービス提供サーバと上記仲介サーバとのうちの少なくとも一方は、上記サービスエージェントを実行して上記所定のサービスを実行するための所定の情報を抽出し、
上記取得した情報を、上記サービス提供サーバは上記仲介サーバを経由して上記電力量計サーバに通知し、または、上記仲介サーバは上記電力量計サーバに通知し、
上記電力量計サーバは、上記移動された上記サービスエージェントにより上記電力量計サーバ用エージェントを起動すると共に、上記通知された上記所定の情報を用いて上記所定のサービスを実行するように構成されたことを特徴とするものである。
【０００９】
（２）請求項２のサービスエージェント提供システムによれば、請求項１記載のエージェントサービス提供システムにおいて、所定のサービスはリモート制御を行うサービスとし、
このリモート制御サービスは、上記システムの外部からの制御指令またはタイマ等で上記システム内部に発生する制御指令に応じて仲介サーバ上のサービスエージェントが電力量計サーバにその実行を指示し、
上記指示に応じて電力量計サーバは、エアコン・電灯・ＴＶ等の家電機器の制御を実行するサービスとしたものである。
【００１０】
（３）請求項３のサービスエージェント提供システムによれば、請求項２記載のエージェントサービス提供システムにおいて、リモート制御サービスは電力消費抑制を行うサービスとし、
この電力消費抑制サービスは、サービス提供サーバから電力消費抑制指令を送出し、上記指令を受けた仲介サーバは電力量計サーバにその実行を指示し、
電力量計サーバは、上記指示に応じてエアコンの設定温度の変更、複数運転のエアコンの内の何台かを停止、または、予め定められた電灯の消灯などの電力消費抑制を行うものである。
【００１１】
（４）請求項４のサービスエージェント提供システムによれば、請求項１記載のエージェントサービス提供システムにおいて、所定のサービスはリモート監視を行うサービスとし、
このリモート監視サービスは、仲介サーバ上のサービスエージェントを経由したリモート監視指令により、電力量計サーバが各種センサや電力消費パターンの情報などの監視対象の監視を行うサービスとしたものである。
【００１２】
（５）請求項５のサービスエージェント提供システムによれば、請求項４記載のエージェントサービス提供システムにおいて、リモート監視サービスはリモート介護サービスとし、
このリモート介護サービスは、仲介サーバからのリモート監視指令により電力量計サーバが電力消費の状態を監視し、その監視情報を上記仲介サーバに送信し、
上記仲介サーバは、受信した監視情報に基づいて電力の消費パターンが設定したパターンの正常範囲内でなければ、予め定められた外部の介護サービス会社などに情報を送信するサービスとしたものである。
【００１３】
（６）請求項６のサービスエージェント提供システムによれば、請求項１記載のエージェントサービス提供システムにおいて、所定のサービスは情報提供サービスとし、
この情報提供サービスは、上記システムの外部または内部からのサービス指令に応じて、仲介サーバ上のサービスエージェントがサービス提供サーバに移動して所定の情報を取得し、この取得した所定の情報を仲介サーバ経由で電力量計サーバに提供するサービスとしたものである。
【００１４】
（７）請求項７のサービスエージェント提供システムによれば、サービス提供サーバと仲介サーバと需要家の電力量計に配設した電力量計サーバとを通信媒体で接続して構成し、
上記サービス提供サーバは、サービスエージェントを上記仲介サーバに提供する手段と有し、
上記仲介サーバは、上記提供されたサービスエージェントを登録する手段と、上記電力量計サーバが所望のサービスを選択する際のサービスメニューを提示するサービス選択エージェントを上記電力量計サーバに配布する手段と、上記電力量計サーバからのサービス要求に応じて、上記サービスエージェント内の上記要求されたサービスエージェントを抽出して上記電力量計サーバに送付するエージェントサービス供給手段とを有し、
上記電力量計サーバは、上記配布された上記サービス選択エージェントで提示されたサービスメニューから所望のサービスを選択してその選択した所望のサービスを上記仲介サーバに通知し、この通知に応じて上記仲介サーバから提供された所望のサービスエージェントを用いて、需要者の家電機器にアクセスするなどの上記所望のサービスを実行する実行手段を有するエージェントサービス提供システムであって、
上記仲介サーバは、上記電力量計サーバから上記選択された所望のサービスの通知に基づき上記登録したサービスエージェントを起動してそのサービスエージェントを上記サービス提供サーバおよび上記電力量計サーバに移動させ、
上記サービス提供サーバと上記仲介サーバとのうちの少なくとも一方は、上記サービスエージェントを実行して上記所定のサービスを実行するための所定の情報を抽出し、
上記取得した情報を、上記サービス提供サーバは上記仲介サーバを経由して上記電力量計サーバに通知し、または、上記仲介サーバは上記電力量計サーバに通知し、
上記電力量計サーバは、上記移動された上記サービスエージェントにより上記電力量計サーバ用エージェントを起動すると共に、上記通知された上記所定の情報を用いて上記所定のサービスを実行するように構成されたことを特徴とするものである。
【００１５】
（８）請求項８のサービスエージェント提供システムによれば、請求項１〜７のいずれか１項に記載のエージェントサービス提供システムにおいて、
仲介サーバは、電力量計サーバがサービスエージェントを用いてサービスを実行した場合、その実行内容・実行時間等のサービスの度合いに応じて使用料金を計算し料金情報として格納する料金計算手段を設けたものである。
【００１６】
（９）請求項９のサービスエージェント提供システムによれば、請求項８記載のエージェントサービス提供システムにおいて、
料金計算手段は、需要者が有料サービスを受けた場合は、そのサービスに対して正の値の料金として計算し、無料のサービスを受けた場合は、ゼロの値の料金として計算し、電力負荷制御に協力するなどの料金の支払いを受けるようなサービスを受けた場合は、そのサービスに対して負の値の料金として計算し、これらの計算情報を料金情報として格納する手段としたものである。
【００１７】
（１０）請求項１０のサービスエージェント提供システムによれば、請求項８記載のエージェントサービス提供システムにおいて、
料金計算手段は、需要者が有料サービスを受けた場合は、そのサービスに対して負の値の料金として計算し、無料のサービスを受けた場合は、ゼロの値の料金として計算し、電力負荷制御に協力するなどの料金の支払いを受けるようなサービスを受けた場合は、そのサービスに対して正の値の料金として計算し、これらの計算情報を料金情報として格納する手段としたものである。
【００１８】
（１１）請求項１１のサービスエージェント提供システムによれば、請求項１〜１０のいずれか１項に記載のエージェントサービス提供システムにおいて、
サービス提供サーバと仲介サーバとを一つのサーバで兼用したものである。
【００１９】
【発明の実施の形態】
実施の形態１．
この発明の実施の形態１を図について説明する。
図１はエージェントサービス提供システムの構成を示し、図２はサービス提供者または仲介者がサービスを発動する場合のフロー、図３は料金計算手段のフロー、図４、図５は具体的サービスを実施した場合で、図４は電力消費抑制手段のフロー、図５はリモート介護サービス手段のフローである。
【００２０】
図１において、１はサービス提供サーバ、２は仲介サーバ、３は需要者、４，５は通信媒体、６は電力量計の内部またはその近傍に設けられた電力量計サーバ、７は各種の家電機器である。
【００２１】
次に動作を図２のサービス提供者または仲介者がサービスを発動する場合について図１と共に説明する。
（１）サービス提供サーバ１はサービスエージェントを、仲介サーバ２に提供する（１０１）。
（２）仲介サーバ２はエージェント登録手段に提供されたサービスエージェントを登録する（１１１）。
【００２２】
（３）仲介サーバ２は登録したサービスエージェント内の電力量計サーバ用エージェントを、電力量計サーバ６に送付する（１１２）。
（４）電力量計サーバ６は電力量計サーバ用エージェントを格納する（１２１）。
【００２３】
（５）エージェント実行指令をサービス提供サーバ１または仲介サーバ２から発行すると（１０２）（１１３）、
（６）上記指令に基づいて仲介サーバ２はサービスエージェントを起動し、そのサービスエージェントをサービス提供サーバ１に移動すると共に、電力量計サーバ６に移動する（１１４）。
【００２４】
（７）サービス提供サーバ１と仲介サーバ２とのうちの少なくとも一方は、サービスエージェントを実行して上記サービスを提供するための所定の情報を検索・抽出などして取得する（１０３，１１５）。
（８）取得した所定の情報を、サービス提供サーバ１は仲介サーバ２経由して電力量計サーバ６に通知し、または、仲介サーバ２は電力量計サーバ６に通知する。
【００２５】
（９）電力量計サーバ６は移動されたサービスエージェントにより電力量計サーバ用エージェントを起動すると共に、所定の情報を用いて電気機器の状態監視・操作制御等のサービスエージェントを実行する（１２２）。
【００２６】
次に図３を用いて料金計算手段の動作について説明する。
（１）仲介サーバ２は所望のサービスエージェントを起動し、そのサービスエージェントを電力量計サーバ６に移動すると共に、サービス提供サーバ１に移動する（２１１）。
（２）電力量計サーバ６は所望のサービスエージェントを実行し、サービス完了を通知する（２２１，２２２）。
【００２７】
（３）サービス提供サーバ１はサービスエージェントを実行することで、サービス完了確認を行う（２０１）。
（４）また、仲介サーバ２はエージェントを実行することでサービス完了確認を行う（２１２）。
【００２８】
（５）電力量計サーバ６はサービス完了確認を行うと、サービスエージェント実行に伴い料金計算情報を仲介サーバ２に自動的に通知する（２２３）。
（６）仲介サーバ２は料金計算手段を用いて料金計算を行い（２１３）、
（７）料金情報を格納する（２１４）。
【００２９】
次に具体的サービスの一例として、電力消費抑制手段によるサービスを図４に基づいて説明する。
（１）仲介サーバ２は、サービス提供サーバ１から電力消費抑制指令を受けると（Ｓ１）、
（２）仲介サーバ２は、その指令を電力量計サーバ６に指示する（Ｓ２）。
（３）電力量計サーバ６は、エアコンの設定温度を上げる。または、複数運転のエアコンの何台かを停止する。あるいは、電灯を消灯する（Ｓ３）。
【００３０】
（４）電力量計サーバ６は、電力消費が抑制されたかチェックして、目標の抑制量に達していると、ステップＳ５へ行き、目標の抑制量に達してないと、電力消費の抑制処理を終了する。（Ｓ４）。
（５）ステップＳ４で電力消費が抑制されると、仲介サーバ２は、電力の抑制量に応じて払い戻し金額を計算する（Ｓ５）。
（６）仲介サーバ２は払い戻し金額の計算結果や計算に係わるデータ等の料金情報を格納する。
【００３１】
上記電力量の消費などのサービスに対する料金は下記のように計算する。
（１）需要者が電力消費等の有料サービスを受けると、正の値の料金（支払い）として計算。
（２）需要者が無料のサービスを受けると、ゼロの値の料金として計算。
（３）需要者が電力負荷抑制に協力するなどの料金の支払いを受けるようなサービスを受けると、負の値の料金（払い戻し）として計算する。
【００３２】
また、サービスの内容によってその料金は下記のように逆に計算してもよい。
（１）需要者が電力消費等の有料サービスを受けると、負の値の料金（払い戻し）として計算。
（２）需要者が無料のサービスを受けると、ゼロの値の料金として計算。
（３）需要者が料金の支払いを受けるようなサービスを受けると、正の値の料金として計算する。
【００３３】
なお、需要者が自家用発電や太陽光発電などで電力を提供するようなサービスをした場合は上記のサービスの授受が反対になり、料金計算も反対になる。
【００３４】
次に具体的サービスの一例として、リモート介護サービス手段によるサービスを図５に基づいて説明する。
（１）仲介サーバ２からリモート監視指令を出力する。（Ｔ１）。
（２）仲介サーバ２は、上記指令に応じて料金計算を実行するようスタンバイすると共に、月一回等の所定の期間毎に、実施されたサービスに対しその期間内のサービスに対する契約料金を計算する（Ｔ２）。
【００３５】
（３）仲介サーバ２は、料金計算の結果や計算に係わるデータ等の料金情報を格納する（Ｔ３）。
（４）電力量計サーバ６は、上記リモート監視指令でリモート監視を開始する（Ｔ４）。
【００３６】
（５）仲介サーバ２は、上記電力量計サーバ６を持つ需要家の電力消費量のパターンが設定したパターンの正常範囲か否かを判定する（Ｔ５）。
このステップＴ５の判定手段は定期的に起動されて、パターンが比較される。
（６）ステップＴ５で、パターンが正常範囲であれば、契約期間満了か否かを判定し、契約期間満了であれば介護サービスを終了し、満了でなければステップＴ２に戻る（Ｔ７）。
【００３７】
（７）ステップＴ５で、パターンが正常範囲でなければ、仲介サーバ２は介護サービス会社などに情報を送付するなど所定の処置を行う（Ｔ６）。
（８）ステップＴ６の実行後、契約期間満了か否かを判定し、契約期間満了であれば介護サービスを終了し、満了でなければステップＴ２に戻る（Ｔ７）。
【００３８】
（９）ステップＴ４，Ｔ５，Ｔ６等のサービスを実行すると、仲介サーバ２はそのサービスに対する契約料金を計算し、計算結果などの料金情報を格納すると共に、月一回等の所定の期間毎に、計算結果を合計する（Ｔ２，Ｔ３）。
なお、ステップＴ２，Ｔ３の別の手段として、料金計算はサービスを実施する毎に毎回計算せず、サービスの内容やサービスの時間等の計算データを保存しておき、月一回等の所定の期間毎にその期間内に実施したサービスの料金をまとめて計算してもよい。
【００３９】
上述のリモート介護サービス手段による図５のフローとは別のフローを図６により説明する。
（１）仲介サーバ２からリモート監視指令を出力する。（Ｕ１）。
（２）電力量計サーバ６は、上記指令でリモート監視を開始する（Ｕ２）。
【００４０】
（３）仲介サーバ２は、上記電力量計サーバ６を持つ需要家の電力消費量のパターンが設定したパターンの正常範囲か否かを判定する（Ｕ３）。
このステップＵ３の判定手段は定期的に起動されて、電力消費のパターンが比較される。
【００４１】
（４）電力消費のパターンが正常範囲であれば、仲介サーバ２は監視に要したサービスに対し契約料金を計算し（Ｕ５）、
（５）料金計算の結果や計算に係わるデータ等の料金情報を格納する（Ｕ６）。
（６）次に仲介サーバ２は契約期間満了か否かを判定し、契約期間満了であれば介護サービスを終了し、満了でなければステップＵ２に戻る（Ｕ７）。
【００４２】
（７）ステップＵ３で、パターンが正常範囲でなければ、仲介サーバ２は介護サービス会社などに情報を送付するなど所定の処置を行う（Ｕ４）。
（８）仲介サーバ２は、実施されたサービスに対し契約料金を計算し（Ｕ５）、料金計算の結果や計算に係わるデータ等の料金情報を格納する（Ｕ６）。
また、この料金計算とは別に、サービスを実施する毎に行った料金計算を月一回等の所定の期間毎に、その期間内のサービス料金を合計計算する。
（９）上記（６）と同様に契約期間満了か否かを判定し、契約期間満了であれば介護サービスを終了し、満了でなければステップＵ２に戻る（Ｕ７）。
【００４３】
実施の形態２．
この発明の実施の形態２を図について説明する。
図７はエージェントサービス提供システムの構成を示し、図８はサービスを電力需要者が選択する場合のフローである。
図７は、図１の電力量計サーバ６内に「サービス選択エージェント」を追加したものである。
【００４４】
次に動作を説明する。
（１）サービス提供サーバ１は、サーバエージェントを仲介サーバ２に提供する（３０１）。
（２）仲介サーバ２は、エージェント登録手段によりサービスエージェントを登録する（３１１）。
【００４５】
（３）仲介サーバ２は、登録されたサービスエージェントから所望のサービスを選択するサービス選択メニューエージェントを作成し、電力量計サーバ６に送付する（３１２）。
（４）需要家は電力量計サーバ６により、サービス選択メニューエージェントから所望のサービスを選択し、仲介サーバ２に通知する（３２１）。
【００４６】
（５）仲介サーバ２は、上記選択され所望のサービスの通知を受けると、選択されたサービスエージェントを起動し、そのサービスエージェントを電力量計サーバ６に移動すると共に、サービス提供サーバ１に移動する（３１３）。
（６）サービス提供サーバ１と仲介サーバ２とのうちの少なくとも一方は、サービスエージェントを実行して上記サービスを提供するための所定の情報を検索・抽出などして取得する（３０２，３１４）。
【００４７】
（７）取得した所定の情報を、サービス提供サーバ１は仲介サーバ２経由して電力量計サーバ６に通知し、または、仲介サーバ２は電力量計サーバ６に通知する。
（８）電力量計サーバ６は、通知された所定の情報を用いて選択したサービスエージェントを実行する（３２２）。
【００４８】
上記のサービス選択メニューの例として、例えば、サービス選択メニュー内に実施の形態１の図５に示したリモート介護サービスがあり、このサービスを選択し仲介サーバに通知すると、図５のフローが実行される。
【００４９】
実施の形態３．
実施の形態１の図１、実施の形態２の図７では、サービス提供サーバ１と仲介サーバ２とは、別々のサーバとしたが、この両者は一つのサーバで兼用してもよい。
【００５０】
【発明の効果】
以上のようにこの発明によれば、各家庭に設置されている電力量計内部またはその近傍に電力量計サーバを設置し、電気機器とアクセスして種々のサービスを実施することができる。
【図面の簡単な説明】
【図１】この発明の実施の形態１によるエージェントサービス提供システムの構成図である。
【図２】この発明の実施の形態１によるエージェントサービス提供システムの処理のフローを示す図である。
【図３】この発明の実施の形態１による料金計算手段の処理のフローを示す図である。
【図４】この発明の実施の形態１による電力消費抑制手段の処理のフローを示す図である。
【図５】この発明の実施の形態１によるリモート介護サービス手段の処理のフローを示す図である。
【図６】この発明の実施の形態１によるリモート介護サービス手段の処理のフローを示す図である。
【図７】この発明の実施の形態２によるエージェントサービス提供システムの構成図である。
【図８】この発明の実施の形態２によるエージェントサービス提供システムの処理のフローを示す図である。
【符号の説明】
１    サービス提供サーバ          ２    仲介サーバ
３    需要者                      ４，５    通信媒体
６    電力量計サーバ              ７    家電機器
【図１】
0004080661.tif 000002
【図２】
0004080661.tif 000003
【図３】
0004080661.tif 000004
【図４】
0004080661.tif 000005
【図５】
0004080661.tif 000006
【図６】
0004080661.tif 000007
【図７】
0004080661.tif 000008
【図８】
0004080661.tif 000009